(57)【要約】【課題】ネジの締結作業を行うためのスペースとして、当該締結作業により取り付けられる部材の周囲に当該ネジの全長以上のスペースがなく、ネジの締結作業を行うためのスペースに余裕がない場合でも、確実に締結作業を行うことを可能にする。【解決手段】外周部位に雄ネジが形成されたネジ軸と、上記ネジ軸の一方の端部に係脱自在に配設されるネジ頭と、上記ネジ軸と前記ネジ頭とを係止する係止部材とを有するようにしたものであり、上記ネジ頭は、締結用工具が係合する形状を備えるようにした。【選択図】        図２
2007278413.tif 000002
【特許請求の範囲】
【請求項１】
外周部位に雄ネジが形成されたネジ軸と、
前記ネジ軸の一方の端部に係脱自在に配設されるネジ頭と、
前記ネジ軸と前記ネジ頭とを係止する係止部材と
を有することを特徴とするネジ。
【請求項２】
請求項１に記載のネジにおいて、
前記ネジ頭は、締結用工具が係合する形状を備えた
ことを特徴とするネジ。
【請求項３】
請求項１または２のいずれか１項に記載のネジを用いた部材の締結方法において、
前記ネジ軸と前記ネジ頭とを分離した状態で、前記ネジ軸のみを部材に組み付けた後に、前記ネジ軸の前記一方の端部に前記ネジ頭を係合し、前記係止部材により前記ネジ軸の前記一方の端部に前記ネジ頭を係止し、前記ネジ軸に係止された前記ネジ頭を回転して前記部材に対して前記ネジ軸をネジ込む
ことを特徴とするネジを用いた部材の締結方法。
【請求項４】
請求項３に記載のネジを用いた部材の締結方法により前記部材に対して前記ネジ軸をネジ込んだ前記ネジの前記ネジ頭を、前記締結の際の回転方向とは逆方向に回転してネジ結合を緩め、前記係止部材による前記ネジ軸の前記一方の端部への前記ネジ頭の係止を解除して前記ネジ軸から前記ネジ頭を取り外し、前記ネジ軸と前記ネジ頭とを分離した状態で前記ネジ軸を前記部材から取り外す
ことを特徴とするネジを用いた部材の締結解除方法。
【発明の詳細な説明】
【技術分野】
【０００１】
本発明は、ネジおよびそれを用いた部材の締結方法および締結解除方法に関し、さらに詳細には、ある部材に大型の部材を取り付ける作業を行う際などに用いて好適なネジおよびそれを用いた部材の締結方法および締結解除方法に関する。
【背景技術】
【０００２】
一般に、ある部材に大型の部材の取り付け作業を行う際には、当該大型の部材の大きさに対応した長尺のネジを使用することが必要である。
【０００３】
また、こうした長尺のネジを使用した大型の部材の締結作業においては、当該長尺のネジの締結作業を行うためのスペースとして、当該大型の部材の周囲に当該長尺のネジの全長以上のスペースを必要としていた。
【０００４】
即ち、例えば、図１（ａ）に示すように、通信機器本体モジュール１００に対して、バンドパスフィルター１０２を介してホーンアンテナ１０４を取り付けようとする際には、バンドパスフィルター１０２の大きさに対応した長尺のネジ２００を用いて、通信機器本体モジュール１００とバンドパスフィルター１０２とホーンアンテナ１０４との三者を一体的に締結する作業を行うことになる。
【０００５】
こうした締結作業においては、まず、ホーンアンテナ１０４の基部１０４ａに形成されたネジ孔（図示せず。）内に長尺のネジ２００を挿入することになるが、ホーンアンテナ１０４の周囲に長尺のネジ２００の全長以上のスペースがない場合には、長尺のネジ２００がホーンアンテナ１０４と接触してしまい（図１（ｂ）をあわせて参照する。）、長尺のネジ２００を用いて通信機器本体モジュール１００とバンドパスフィルター１０２とホーンアンテナ１０４との組み付けを行うことができないという問題点があった。
【０００６】
なお、本願出願人が特許出願時に知っている先行技術は、上記において説明したようなものであって文献公知発明に係る発明ではないため、記載すべき先行技術情報はない。
【発明の開示】
【発明が解決しようとする課題】
【０００７】
本発明は、上記したような従来の技術の有する問題点に鑑みてなされたものであり、その目的とするところは、ネジの締結作業を行うためのスペースとして、当該締結作業により取り付けられる部材の周囲に当該ネジの全長以上のスペースがなく、ネジの締結作業を行うためのスペースに余裕がない場合でも、確実に締結作業を行うことを可能にしたネジおよびそれを用いた部材の締結方法および締結解除方法を提供しようとするものである。
【課題を解決するための手段】
【０００８】
上記目的を達成するために、本発明は、ネジ頭とネジ軸とを別体に構成することにより、締結作業時に必要なスペースを縮小するようにしたものである。
【０００９】
従って、本発明によれば、締結作業を行う際にネジ軸のみを先に取り付けることができるようになるので、従来のネジと比較すると締結作業時に必用なスペースを縮小することができる。
【００１０】
こうした本発明のうち請求項１に記載の発明によるネジは、外周部位に雄ネジが形成されたネジ軸と、上記ネジ軸の一方の端部に係脱自在に配設されるネジ頭と、上記ネジ軸と上記ネジ頭とを係止する係止部材とを有するようにしたものである。
【００１１】
また、本発明のうち請求項２に記載の発明によるネジは、本発明のうち請求項１に記載の発明によるネジにおいて、上記ネジ頭は締結用工具が係合する形状を備えるようにしたものである。
【００１２】
また、本発明のうち請求項３に記載の発明によるネジを用いた部材の締結方法は、本発明のうち請求項１または２のいずれか１項に記載のネジを用いた部材の締結方法であって、上記ネジ軸と上記ネジ頭とを分離した状態で、上記ネジ軸のみを部材に組み付けた後に、上記ネジ軸の上記一方の端部に上記ネジ頭を係合し、上記係止部材により上記ネジ軸の上記一方の端部に上記ネジ頭を係止し、上記ネジ軸に係止された上記ネジ頭を回転して上記部材に対して上記ネジ軸をネジ込むようにしたものである。
【００１３】
また、本発明のうち請求項４に記載の発明によるネジを用いた部材の締結解除方法は、本発明のうち請求項３に記載のネジを用いた部材の締結方法により上記部材に対して上記ネジ軸をネジ込んだ上記ネジの上記ネジ頭を、上記締結の際の回転方向とは逆方向に回転してネジ結合を緩め、上記係止部材による上記ネジ軸の上記一方の端部への上記ネジ頭の係止を解除して上記ネジ軸から上記ネジ頭を取り外し、上記ネジ軸と上記ネジ頭とを分離した状態で上記ネジ軸を上記部材から取り外すようにしたものである。
【発明の効果】
【００１４】
本発明は、以上説明したように構成されているので、ネジの締結作業を行うためのスペースとして、当該締結作業により取り付けられる部材の周囲に当該ネジの全長以上のスペースがなく、ネジの締結作業を行うためのスペースに余裕がない場合でも、確実に締結作業を行うことができるようになるという優れた効果を奏する。
【発明を実施するための最良の形態】
【００１５】
以下、添付の図面に基づいて、本発明によるネジおよびそれを用いた部材の締結方法および締結解除方法の実施の形態の一例について説明する。
【００１６】
なお、図１（ａ）（ｂ）に示す構成と同一または相当する構成については、図１（ａ）（ｂ）において用いた符号と同一の符号を付して示すことにより、その構成ならびに作用の詳細な説明は省略する。
【００１７】
ここで、図２（ａ）には本発明の実施の形態の一例によるネジの全体斜視構成説明図が示されており、また、図２（ｂ）には図２（ａ）の分解斜視構成説明図が示されており、また、図３には図２（ａ）のＩＩＩ−ＩＩＩ線による断面構成説明図が示されている。
【００１８】
この図２（ａ）（ｂ）および図３に示すネジ１０は、ネジ軸１２とネジ頭１４とを有して構成されている。
【００１９】
ネジ軸１２は、全体が軸方向に延長した円柱形状を備えた棒状体であって、その一方の端部１２ａ側の外周面に雄ネジ１２ｂが形成されており、他方の端部１２ｃ側には止めネジ１６（後述する。）の先端部１６ａが嵌合する凹所１２ｄが形成されている。
【００２０】
一方、ネジ頭１４は、全体が略円筒形状を備えており、その一方の端部１４ａ側にはネジ軸１２の端部１２ｃが嵌合可能な係合孔１４ｂが形成されており、他方の端部１４ｃには締結用工具として六角棒ナット（図示せず。）が係合する六角孔１４ｄが形成されている。
【００２１】
さらに、ネジ頭１４における係合孔１４ｂが形成された外径部位には、径方向に沿って貫通するとともに内周面に雌ねじが形成された貫通ネジ孔１４ｅが形成されている。
【００２２】
なお、符号１６は、貫通ネジ孔１４ｅ内に挿入されて雌ねじとネジ結合する雄ネジ１６ｂを形成した止めネジである。この止めネジ１６は、雄ネジ１６ｂが貫通ネジ孔１４ｅの雌ネジと係合してネジ込まれると、その先端部１６ａが凹所１２と嵌合するように寸法設定されている。
【００２３】
以上の構成において、このネジ１０を用いて、通信機器本体モジュール１００に対してバンドパスフィルター１０２を介してホーンアンテナ１０４を取り付けようとする際には、まず、図４に示すように、ホーンアンテナ１０４の基部１０４ａ側から、基部１０４ａに形成されたネジ孔（図示せず。）内にネジ軸１２を挿通する。
【００２４】
次に、図５に示すように、ネジ軸１２の端部１２ｃに係合孔１４ｂが嵌入するようにネジ頭１４を係合し、雄ネジ１６ｂを貫通ネジ孔１４ｅの雌ネジと係合させて止めネジ１６をネジ込み、止めネジ１６の先端部１６ａを凹所１２ｄに嵌合させて、ネジ頭１４をネジ軸１２に固定する。
【００２５】
それから、図６に示すように、ネジ頭１４の六角孔１４ｄに嵌合させた六角棒ナット（図示せず。）を用いて、ネジ１０のネジ軸１２の雄ネジ１２ｂをバンドパスフィルター１０２と通信機器本体モジュール１００とにそれぞれ形成された雌ねじ（図示せず。）にねじ込んで、ネジ１０によりホーンアンテナ１０４とバンドパスフィルター１０２と通信機器本体モジュール１００とを共締めし、これら三者を一体的に固定する（図７参照）。
【００２６】
一方、上記のようにしてホーンアンテナ１０４とバンドパスフィルター１０２と通信機器本体モジュール１００とを共締めしているネジ１０を取り外す際に、上記した締結作業時の作業順とは逆の順番で作業を行えばよい。
【００２７】
即ち、ネジ頭１４の六角孔１４ｄに嵌合させてた六角棒ナット（図示せず。）を用いて、上記した締結作業によりバンドパスフィルター１０２と通信機器本体モジュール１００とに対してネジ軸１２をネジ込んだネジ１０のネジ頭１４を、締結作業の際の回転方向とは逆方向に回転してネジ結合を緩め、ネジ１０のネジ軸１２の雄ネジ１２ｂをバンドパスフィルター１０２と通信機器本体モジュール１００とにそれぞれ形成された雌ねじ（図示せず。）から外し、それから、止めネジ１６を外してネジ頭１４とネジ軸１２との係合を解除して分離可能とし、ネジ軸１２からネジ頭１４を取り外せばよい。
【００２８】
従って、上記したネジ１０によれば、締結作業を行う際にネジ軸１２のみを先に取り付けることができるようになるので、従来のネジと比較すると締結作業時に必用なスペースを縮小することができる。
【００２９】
次に、図８には、図２（ｂ）に対応する本発明の実施の形態の他の例によるネジの分解斜視構成説明図が示されている。
【００３０】
この図８に示すネジ２０は、ネジ軸１２の端部１２ｃの端面に、締結用工具として六角棒ナット（図示せず。）が係合可能な六角孔１２ｅが形成されている点においてのみ、上記したネジ１０と異なる。
【００３１】
ネジ２０には、ネジ軸１２の端部１２ｃの端面に六角孔１２ｅが形成されているので、例えば、図９に示すように、ネジ軸１２の六角孔１２ｅに嵌合させた六角棒ナット（図示せず。）を用いて、ホーンアンテナ１０４の基部１０４ａに形成されたネジ孔（図示せず。）内に挿通したネジ軸１２の雄ネジ１２ｂを、バンドパスフィルター１０２と通信機器本体モジュール１００とにそれぞれ形成された雌ねじ（図示せず。）にねじ込んで、ネジ軸１２によりホーンアンテナ１０４とバンドパスフィルター１０２と通信機器本体モジュール１００とを係合する。
【００３２】
その後に、ネジ軸１２の端部１２ｃに係合孔１４ｂが嵌入するようにネジ頭１４を係合し、雄ネジ１６ｂを貫通ネジ孔１４ｅの雌ネジと係合させて止めネジ１６をネジ込み、止めネジ１６の先端部１６ａを凹所１２ｄに嵌合させて、ネジ頭１４をネジ軸１２に固定する。
【００３３】
さらに、ネジ頭１４の六角孔１４ｄに嵌合させた六角棒ナット（図示せず。）を用いて、ネジ１０によりホーンアンテナ１０４とバンドパスフィルター１０２と通信機器本体モジュール１００とを共締めし、これら三者を一体的に固定する（図７参照）。
【００３４】
従って、上記したネジ２０においても、締結作業を行う際にネジ軸１２のみを先に取り付けることができるようになるので、従来のネジと比較すると締結作業時に必用なスペースを縮小することができる。
【００３５】
なお、上記した実施の形態は、以下の（１）〜（４）に示すように変形することができるものである。
【００３６】
（１）上記した実施の形態においては、ネジ頭１４に六角孔１４ｄを形成したり、あるいは、ネジ軸１２の端部１２ｃの端面に六角孔１２ｅが形成したりして、締結用工具として六角棒ナットを用いてネジ頭１４やネジ軸１２を回転するようにしたが、これに限られものではないことは勿論であり、ネジ頭１４やネジ軸１２の端部１２ｃの端面に各種多角形状の孔を形成し、当該孔の形状に合致した締結用工具を用いるようにしてもよい。
【００３７】
（２）上記した実施の形態においては、ネジ頭１４に六角孔１４ｄを形成したり、あるいは、ネジ軸１２の端部１２ｃの端面に六角孔１２ｅが形成したり、締結用工具として六角棒ナットを用いてネジ頭１４やネジ軸１２を回転するようにしたが、これに限られものではないことは勿論であり、ネジ頭１４やネジ軸１２の端部１２ｃの外周形状を多角形状に形成し、この多角形状に合致するレンチなどの締結用工具を用いてネジ頭１４やネジ軸１２を回転するようにしてもよい。
【００３８】
（３）上記した実施の形態においては、ネジ頭１４に貫通ネジ孔１４ｅを形成し、この貫通ネジ孔１４ｅに止めネジ１６をネジ込んでネジ頭１４をネジ軸１２に係止するようにしたが、これに限られものではないことは勿論であり、ネジ頭１４とネジ軸１２とにそれぞれ連通する貫通孔を形成しておき、この貫通孔内に締結用工具として棒状体を挿入することにより、ネジ頭１４をネジ軸１２に係止するようにしてもよい。
【００３９】
（４）上記した実施の形態ならびに上記した（１）〜（３）に示す変形例は、適宜に組み合わせるようにしてもよい。
【産業上の利用可能性】
【００４０】
本発明は、各種に部材同士を一体的に締結する際に利用することができる。
【図面の簡単な説明】
【００４１】
【図１】図１（ａ）は、従来のネジを用いた締結の手法を示す説明図であり、また、図１（ｂ）は、図１（ａ）の一点鎖線で示す円形領域の拡大説明図である。
【図２】図２（ａ）は、本発明の実施の形態の一例によるネジの全体斜視構成説明図であり、また、図２（ｂ）は、図２（ａ）の分解斜視構成説明図である。
【図３】図３は、図２（ａ）のＩＩＩ−ＩＩＩ線による断面構成説明図である。
【図４】図４は、本発明によるネジを用いた部材の締結方法の説明図である。
【図５】図５は、本発明によるネジを用いた部材の締結方法の説明図である。
【図６】図６は、本発明によるネジを用いた部材の締結方法の説明図である。
【図７】図７は、本発明によるネジを用いた部材の締結方法の説明図である。
【図８】図８は、図２（ｂ）に対応する本発明の実施の形態の他の例によるネジの分解斜視構成説明図である。
【図９】図７は、本発明によるネジを用いた部材の締結方法の説明図である。
【符号の説明】
【００４２】
１０      ネジ
１２      ネジ軸
１２ａ    端部
１２ｂ    雄ネジ
１２ｃ    端部
１２ｄ    凹所
１２ｅ    六角孔
１４      ネジ頭
１４ａ    端部
１４ｂ    係合孔
１４ｃ    端部
１４ｄ    六角孔
１４ｅ    貫通ネジ孔
１６      止めネジ
１６ａ    先端部
１６ｂ    雄ネジ
【図１】
2007278413.tif 000003
【図２】
2007278413.tif 000004
【図３】
2007278413.tif 000005
【図４】
2007278413.tif 000006
【図５】
2007278413.tif 000007
【図６】
2007278413.tif 000008
【図７】
2007278413.tif 000009
【図８】
2007278413.tif 000010
【図９】
2007278413.tif 000011